(57)【要約】  電子装置及び開閉機構であって、弾き部品を備え、該弾き部品は電子装置の反転開閉可能な第１本体と第２本体の中に設けられ、該弾き部品は、第１本体又は第２本体に弾き力を加えるように設定され、該弾き部品には前記弾き部品の動作を制御する制御スイッチが電気的に接続される。【選択図】図６
2019506011.tif 000002
【特許請求の範囲】
【請求項１】
開閉機構であって、弾き部品を備え、前記弾き部品は、電子装置の反転開閉可能な第１本体と第２本体の中に設けられ、前記弾き部品は、前記第１本体又は前記第２本体に弾き力を加えるように設定され、
前記弾き部品には、前記弾き部品の動作を制御する制御スイッチが電気的に接続される開閉機構。
【請求項２】
前記弾き部品は、前記第１本体の中に設けられる第１磁性モジュールと、前記第２本体の中に設けられる第２磁性モジュールとを備え、前記第２磁性モジュールの位置は前記第１磁性モジュールの位置に対応し、前記第１磁性モジュールと前記第２磁性モジュールのうちの少なくとも１つの磁性モジュールには、磁性又は磁場極性が変化可能な磁性素子が配置される請求項１に記載の開閉機構。
【請求項３】
前記第１磁性モジュールには第１電磁石が設けられ、前記第２磁性モジュールには第２電磁石が設けられ、前記第１電磁石の位置は第２電磁石の位置に対応し、前記第１電磁石と前記第２電磁石が通電される場合、前記第１電磁石と前記第２電磁石の相対する一端の磁場極性は同じになり、前記制御スイッチがオンの場合、前記第１電磁石と前記第２電磁石が通電される請求項２に記載の開閉機構。
【請求項４】
前記第１磁性モジュールには電磁石が設けられ、前記第２磁性モジュールには永久磁石が設けられ、前記電磁石の位置は永久磁石の位置に対応し、前記電磁石が通電される場合、前記電磁石と前記永久磁石の相対する一端の磁場極性は同じになり、前記制御スイッチがオンの場合、前記電磁石が通電される請求項２に記載の開閉機構。
【請求項５】
前記第１本体と前記第２本体との間には回転軸が設けられ、前記第１本体は、前記回転軸に基づいて前記第２本体に対して反転するように設定され、前記第２本体は、前記回転軸に基づいて前記第１本体に対して反転するように設定される請求項２〜４のいずれか１項に記載の開閉機構。
【請求項６】
前記第１磁性モジュールは、前記第１本体において前記回転軸から離れた位置に設けられ、前記第２磁性モジュールは、前記第２本体において前記回転軸から離れた位置に設けられる請求項５に記載の開閉機構。
【請求項７】
前記制御スイッチは、前記電子装置の表面に設けられる押しボタンスイッチである請求項１〜４のいずれか１項に記載の開閉機構。
【請求項８】
前記制御スイッチは、前記電子装置の表面に設けられる指紋アンロックスイッチである請求項１〜４のいずれか１項に記載の開閉機構。
【請求項９】
前記電子装置の外表面にはタッチスクリーンが設けられ、前記制御スイッチは、前記タッチスクリーンに設けられる仮想ボタンである請求項１〜４のいずれか１項に記載の開閉機構。
【請求項１０】
前記制御スイッチは、前記電子装置に設けられる音声認識スイッチである請求項１〜４のいずれか１項に記載の開閉機構。
【請求項１１】
電子装置であって、反転開閉可能な第１本体と第２本体、及び前記電子装置における前記第１本体と前記第２本体を弾き開けるための開閉機構を備え、前記開閉機構は請求項１〜１０のいずれか１項に記載の開閉機構である電子装置。  
【発明の詳細な説明】
【技術分野】
【０００１】
本願は電子装置製造技術に関するが、これに制限されない。
【背景技術】
【０００２】
市場での折り畳み式携帯電話は、ユーザが筐体を捲る（めくり開く）ことに寄与するために、一般的に下記２種類の構造を採用する。第１種の構造は、図１と図２に示され、図１は、関連技術における折り畳み式携帯電話の構造模式図１であり、図２は、関連技術における折り畳み式携帯電話の構造模式図２である。該構造では、表示筐体と操作筐体の側辺において大きい斜面１１を作り、即ち下斜面１１２と上斜面１１３を形成し、筐体を閉じた後に折り畳み式携帯電話の両側には比較的に大きい隙間が形成され、ユーザが指で表示筐体をめくり上げる（めくり開く）ことに寄与する。第２種の構造は、図３に示され、図３は、関連技術における他の折り畳み式携帯電話の構造模式図である。該構造では、表示筐体１３の操作筐体１２に近く隣接する側面において三日月形状の切り口（切欠き部）１３１を作り、ユーザが指で表示筐体をめくり上げることに寄与する。
【０００３】
上記図１と図２に示す折り畳み式携帯電話の構造により、ユーザは都合よく筐体を開くことができるが、隙間が大きいため、見栄えが悪くなる。図３に示す折り畳み式携帯電話の構造により、ユーザは使用の際に三日月形状の取っ手の位置を探る必要があり、実用性が低く、且つ見栄えが悪くなる。
【０００４】
従って、ユーザが筐体を開くことに寄与するだけでなく、見栄えに影響を与えることなく、構造も簡単である新しい折り畳み構造を設計することは急務となる。
【発明の概要】
【発明が解決しようとする課題】
【０００５】
以下は、本文が詳細に説明する主題の概要である。本概要は、請求項の保護範囲を制限するためのものではない。
【０００６】
本文は、ユーザが電子装置のトップカバーを開くことに寄与する目的を実現し、且つ見栄えがよく、構造が簡単である電子装置及び開閉機構を提供する。
【課題を解決するための手段】
【０００７】
開閉機構であって、弾き部品を備え、前記弾き部品は電子装置の反転開閉可能な第１本体と第２本体の中に設けられ、前記弾き部品は、前記第１本体又は前記第２本体に弾き力（斥力）を加えるように設定され、
前記弾き部品には、前記弾き部品の動作を制御する制御スイッチが電気的に接続される。
【０００８】
選択的に、前記弾き部品は、前記第１本体の中に設けられる第１磁性モジュールと、前記第２本体の中に設けられる第２磁性モジュールとを備え、前記第２磁性モジュールの位置は前記第１磁性モジュールの位置に対応し、前記第１磁性モジュールと前記第２磁性モジュールのうちの少なくとも１つの磁性モジュールには、磁性又は磁場極性が変化可能な磁性素子が配置される。
【０００９】
選択的に、前記第１磁性モジュールには第１電磁石が設けられ、前記第２磁性モジュールには第２電磁石が設けられ、前記第１電磁石の位置は第２電磁石の位置に対応し、前記第１電磁石と前記第２電磁石が通電される場合、前記第１電磁石と前記第２電磁石の相対する一端の磁場極性は同じになり、前記制御スイッチがオンの場合、前記第１電磁石と前記第２電磁石が通電される。
【００１０】
選択的に、前記第１磁性モジュールには電磁石が設けられ、前記第２磁性モジュールには永久磁石が設けられ、前記電磁石の位置は永久磁石の位置に対応し、前記電磁石が通電される場合、前記電磁石と前記永久磁石の相対する一端の磁場極性は同じになり、前記制御スイッチがオンの場合、前記電磁石が通電される。
【００１１】
選択的に、前記第１本体と前記第２本体との間には回転軸が設けられ、前記第１本体は、前記回転軸に基づいて前記第２本体に対して反転するように設定され、前記第２本体は、前記回転軸に基づいて前記第１本体に対して反転するように設定される。
【００１２】
選択的に、前記第１磁性モジュールは、前記第１本体において前記回転軸から離れた位置に設けられ、前記第２磁性モジュールは、前記第２本体において前記回転軸から離れた位置に設けられる。
【００１３】
選択的に、前記制御スイッチは、前記電子装置の表面に設けられる押しボタンスイッチである。
【００１４】
選択的に、前記制御スイッチは、前記電子装置の表面に設けられる指紋アンロックスイッチである。
【００１５】
選択的に、前記電子装置の外表面にはタッチスクリーンが設けられ、前記制御スイッチは、前記タッチスクリーンに設けられる仮想ボタンである。
【００１６】
選択的に、前記制御スイッチは、前記電子装置に設けられる音声認識スイッチである。
【００１７】
本発明の実施例は、電子装置を更に提供し、前記電子装置は、反転開閉可能な第１本体と第２本体、及び前記電子装置における前記第１本体と前記第２本体を弾き開ける（めくり開く）ための開閉機構を備え、前記開閉機構は、上記のいずれか１項に記載の開閉機構である。
【発明の効果】
【００１８】
本発明の実施例による電子装置及び開閉機構は弾き部品を備え、該弾き部品は、電子装置の反転開閉可能な第１本体と第２本体の中に設けられ、第１本体又は第２本体に弾き力（斥力）を加え、該弾き部品には、該弾き部品の動作を制御する制御スイッチが電気的に接続され、本発明の実施例は開閉機構を設けることにより、電子装置の反転開閉可能な第１本体と第２本体に弾き力を加えて弾き開け（めくり開け）、電子装置の外見を変更する必要がなく、ユーザが電子装置のトップカバーを開くことに寄与する目的を実現し、且つ見栄えがよく、構造が簡単である。
【００１９】
図面及び詳細の説明を読んで理解した後、他の方面を理解できる。
【図面の簡単な説明】
【００２０】
【図１】図１は、関連技術における折り畳み式携帯電話の構造模式図１である。
【図２】図２は、関連技術における折り畳み式携帯電話の構造模式図２である。
【図３】図３は、関連技術における他の折り畳み式携帯電話の構造模式図である。
【図４】図４は、本発明の実施例による開閉機構の電子装置での適用状態の模式図である。
【図５】図５は、図４に示す実施例による開閉機構の電子装置での他の適用状態の模式図である。
【図６】図６は、本発明の実施例による他の開閉機構の電子装置での適用状態の模式図である。
【図７】図７は、図６に示す実施例による開閉機構の電子装置での他の適用状態の模式図である。
【図８】図８は、本発明の実施例による開閉機構に制御スイッチが設けられる模式図である。
【発明を実施するための形態】
【００２１】
以下、図面を参照しながら、本発明の実施形態について詳しく説明する。なお、矛盾が生じない場合には、本書類における各実施例及び各実施例における特徴は互いに任意に組み合わせることができる。
【００２２】
本発明の実施例の明細書と請求の範囲、及び上記図面における、用語の「第１」、「第２」等は、類似の対象を区別するためのものであり、特定の順序又は前後順位を記述するためのものではない。
【００２３】
本発明の実施例は、開閉機構を提供し、該開閉機構は、弾き部品を備え、該弾き部品は、電子装置の反転開閉可能な第１本体と第２本体の中に設けられ、弾き部品は、第１本体又は第２本体に弾き力（斥力）を加えるように設定され、該弾き部品には、該弾き部品の動作を制御する制御スイッチが電気的に接続される。
【００２４】
本発明の実施例において、電子装置は、反転開閉可能な第１機体（第１本体）と第２機体（第２本体）が設けられる電子装置であり、例えば折り畳み式携帯電話、ノートパソコン等であってもよい。
【００２５】
選択的に、本発明の実施例において、上記弾き部品は、第１本体の中に設けられる第１磁性モジュールと、第２本体の中に設けられる第２磁性モジュールとを備え、該第２磁性モジュールの位置は第１磁性モジュールの位置に対応し、第１磁性モジュールと第２磁性モジュールのうちの少なくとも１つの磁性モジュールには、磁性又は磁場極性が変化可能な磁性素子が配置される。
【００２６】
選択的に、本発明の実施例において、第１磁性モジュールと第２磁性モジュールの構造は、下記２種類の構造により実現することができる。
【００２７】
第１種の構造については、第１磁性モジュールには第１電磁石が設けられ、第２磁性モジュールには第２電磁石が設けられ、第１電磁石と第２電磁石の位置は対応し、且ついずれも本体において回転軸から離れた一端に設けられ、第１電磁石と第２電磁石が通電される場合、第１電磁石と第２電磁石の相対する一端の磁場極性は同じになり、制御スイッチがオンの場合、第１電磁石と第２電磁石が通電される。
磁石の同じ極が反発しあう原理に基づいて、制御スイッチがオンの場合、第１電磁石と第２電磁石は通電され、第１電磁石と第２電磁石の相対する一端の磁場極性が同じになるため、一定の弾き力（斥力）が発生して、第１本体と第２本体を弾き開け（めくり開け）、本発明の実施例による開閉機構は、ユーザの使用にとって便利である。
【００２８】
第２種の構造については、第１磁性モジュールには電磁石が設けられ、第２磁性モジュールには永久磁石が設けられ、電磁石と永久磁石の位置は対応し、且ついずれも本体において回転軸から離れた一端に設けられ、電磁石が通電される場合、電磁石と永久磁石の相対する一端の磁場極性は同じになり、制御スイッチがオンの場合、該電磁石が通電される。
上記磁石の同じ極が反発しあう原理と同様に、制御スイッチがオンの場合、電磁石は通電され、電磁石と永久磁石の相対する一端の磁場極性が同じになるため、一定の弾き力（斥力）が発生して、第１本体と第２本体を弾き開け（めくり開け）、本発明の実施例による開閉機構は、ユーザの使用にとって便利である。
【００２９】
選択的に、本発明の実施例において、弾き部品の弾き力（斥力）の機能の最大化のため、力学原理に基づいて、第１磁性モジュールは、第１本体において、回転軸から離れた位置に設けられ、第２磁性モジュールは、第２本体において、回転軸から離れた位置に設けられる。
【００３０】
選択的に、本発明の実施例において、第１本体と第２本体との間には回転軸が設けられ、第１本体は、該回転軸に基づいて第２本体に対して反転するように設定され、第２本体は、該回転軸に基づいて第１本体に対して反転するように設定される。
【００３１】
選択的に、本発明の実施例において、第１磁性モジュールは、第１本体において該回転軸から離れた位置に設けられ、第２磁性モジュールは、第２本体において該回転軸から離れた位置に設けられる。
【００３２】
選択的に、本発明の実施例において、ユーザに最大限に寄与するために、弾き部品の動作を制御する制御スイッチは、多種の構造に設定されることができ、例えば、下記のような４種類の構造を含んでもよい。
【００３３】
第１種の構造については、制御スイッチは、電子装置の表面に設けられる押しボタンスイッチである。
第２種の構造については、制御スイッチは、電子装置の表面に設けられる指紋アンロックスイッチである。
第３種の構造については、電子装置の外表面にはタッチスクリーンが設けられ、該制御スイッチは、タッチスクリーンに設けられる仮想ボタンである。
第４種の構造については、制御スイッチは、前記電子装置に設けられる音声認識スイッチである。
【００３４】
本発明の実施例は、電子装置を更に提供し、該電子装置は、反転開閉可能な第１本体と第２本体、及び該電子装置の第１本体と第２本体を弾き開ける（めくり開ける）ための開閉機構を備え、該開閉機構については、上記で紹介されたため、繰り返して説明しない。
【００３５】
本発明の実施例の特徴と技術的内容をより詳しく理解するために、以下、図面及び具体的な適用実施例を参照しながら、本発明について詳しく説明する。なお、添付の図面は、理解の参考と説明のためのものであり、本発明の実施例を制限するためのものではない。
【００３６】
以下、いくつかの実施例により、本発明の実施例による開閉機構及び電子装置の実現形態について説明する。
【００３７】
図４は、本発明の実施例による開閉機構の電子装置での適用状態の模式図であり、図５は、図４に示す実施例による開閉機構の電子装置での他の適用状態の模式図である。図４と図５に示す電子装置は、例えば折り畳み式携帯電話であり、図４は、該折り畳み式携帯電話が折り畳み状態にある模式図であり、図５は、該折り畳み式携帯電話が弾き開かれた（めくり開けられた）状態にある模式図である。図４と図５に示すように、本発明の実施例における電子装置（例えば、折り畳み式携帯電話）は、反転開閉可能な第１本体１と第２本体２、及び該電子装置における第１本体１と第２本体２を弾き開ける（めくり開ける）ための開閉機構を備える。
【００３８】
本発明の実施例において、開閉機構は、第１本体１又は第２本体２に弾き力（斥力）を加える弾き部品、及び前記弾き部品の動作を制御する制御スイッチを備える。
【００３９】
図６は、本発明の実施例による他の開閉機構の電子装置での適用状態の模式図であり、図７は、図６に示す実施例による開閉機構の電子装置での他の適用状態の模式図である。図６は、電子装置が開かれた状態にある模式図であり、図７は、該電子装置が折り畳み状態にある模式図である。図８は、本発明の実施例による開閉機構に制御スイッチが設けられる模式図である。
【００４０】
図６〜図８に示すように、本発明の実施例における開閉機構は、第１本体１又は第２本体２に弾き力（斥力）を加える弾き部品、及び弾き部品の動作を制御する制御スイッチを備える。
【００４１】
選択的に、本発明の実施例において、弾き部品は、第１本体１の中に設けられる第１磁性モジュール３１１と、第２本体２の中に設けられる第２磁性モジュール３１２とを備えてもよく、且つ第２磁性モジュール３１２の位置は第１磁性モジュール３１１の位置に対応し、第１磁性モジュール３１１と第２磁性モジュール３１２のうちの少なくとも１つの磁性モジュールには、磁性又は磁場極性が変化可能な磁性素子が配置される。
【００４２】
選択的に、本発明の実施例において、第１本体１と第２本体２との間には回転軸が設けられ（図６〜図８には回転軸が図示されていないが、回転軸は第１本体１と第２本体２との接続箇所に設けられていればよい）、第１本体１は、回転軸に基づいて第２本体２に対して反転するように設定され、第２本体２は、回転軸に基づいて第１本体１に対して反転するように設定される。選択的に、第１磁性モジュール３１１は、第１本体１において回転軸から離れた位置に設けられ、第２磁性モジュール３１２は、第２本体２において回転軸から離れた位置に設けられる。
【００４３】
本発明の実施例による実現形態において、第１磁性モジュール３１１には第１電磁石が設けられ、第２磁性モジュール３１２には第２電磁石が設けられ、第１電磁石と第２電磁石の位置は対応し、且ついずれも電子装置の回転軸から離れた一端に設けられ、第１電磁石と第２電磁石が通電される場合、第１電磁石と前記第２電磁石の相対する一端の磁場極性は同じになり、制御スイッチがオンの場合、第１電磁石と第２電磁石が通電される。
【００４４】
本発明の実施例による他の実現形態において、第１磁性モジュール３１１には電磁石が設けられ、第２磁性モジュール３１２には永久磁石が設けられ、電磁石と永久磁石の位置は対応し、且ついずれも電子装置の回転軸から離れた一端に設けられ、電磁石が通電される場合、該電磁石と永久磁石の相対する一端の磁場極性は同じになり、制御スイッチがオンの場合、該電磁石が通電される。
【００４５】
選択的に、本発明の実施例における制御スイッチは、電子装置の側面に設けられる押しボタンスイッチ３２１であり、押しボタンスイッチ３２１の押し信号を受信すると、制御スイッチはオンにされ、押しボタンスイッチ３２１を介して電磁石の通電を制御することにより、制御の便利性、信頼性の目的を実現することができる。
【００４６】
本発明の実施例は、開閉機構を更に提供し、本発明の実施例による開閉機構については、図６〜図８に示す実施例を参照してもよく、制御スイッチが図６〜図８に示す実施例と異なる以外、他の構造は図６〜図８に示す実施例と同じである。以下、本発明の実施例による開閉機構について、詳しく説明する。
【００４７】
図６〜図８に示すように、本発明の実施例における開閉機構は、第１本体１又は第２本体２に弾き力（斥力）を加える弾き部品、及び弾き部品の動作を制御する制御スイッチを備える。
【００４８】
選択的に、本発明の実施例において、弾き部品は、第１本体１の中に設けられる第１磁性モジュール３１１と、第２本体２の中に設けられる第２磁性モジュール３１２とを備えてもよく、且つ第２磁性モジュール３１２の位置は第１磁性モジュール３１１の位置に対応し、第１磁性モジュール３１１と第２磁性モジュール３１２のうちの少なくとも１つの磁性モジュールには、磁性又は磁場極性が変化可能な磁性素子が配置される。
【００４９】
選択的に、本発明の実施例において、第１本体１と第２本体２との間には回転軸が設けられ（図６〜図８には回転軸が示されていないが、回転軸は第１本体１と第２本体２との接続箇所に設けられていればよい）、第１本体１は、回転軸に基づいて第２本体２に対して反転するように設定され、第２本体２は、回転軸に基づいて第１本体１に対して反転するように設定される。選択的に、第１磁性モジュール３１１は、第１本体１において回転軸から離れた位置に設けられ、第２磁性モジュール３１２は、第２本体２において回転軸から離れた位置に設けられる。
【００５０】
本発明の実施例による実現形態において、第１磁性モジュール３１１には第１電磁石が設けられ、第２磁性モジュール３１２には第２電磁石が設けられ、第１電磁石と第２電磁石の位置は対応し、且ついずれも電子装置の回転軸から離れた一端に設けられ、第１電磁石と第２電磁石が通電される場合、第１電磁石と前記第２電磁石の相対する一端の磁場極性は同じになり、制御スイッチがオンの場合、第１電磁石と第２電磁石が通電される。
【００５１】
本発明の実施例による他の実現形態において、第１磁性モジュール３１１には電磁石が設けられ、第２磁性モジュール３１２には永久磁石が設けられ、電磁石と永久磁石の位置は対応し、且ついずれも電子装置の回転軸から離れた一端に設けられ、電磁石が通電される場合、該電磁石と永久磁石の相対する一端の磁場極性は同じになり、制御スイッチがオンの場合、該電磁石が通電される。
【００５２】
選択的に、本発明の実施例における制御スイッチは、電子装置の表面に設けられる指紋アンロックスイッチ３２２であり、指紋アンロックスイッチ３２２を介して電磁石の通電を制御することにより、電子装置は更に安全であり、プライバシーをより確実に保護することができる。
【００５３】
本発明の実施例は、開閉機構を更に提供し、本発明の実施例による開閉機構については図６〜図８に示す実施例を参照してもよく、制御スイッチが図６〜図８に示す実施例と異なる以外、他の構造は図６〜図８に示す実施例と同じである。以下、本発明の実施例による開閉機構について、詳しく説明する。
【００５４】
図６〜図８に示すように、本発明の実施例における開閉機構は、第１本体１又は第２本体２に弾き力（斥力）を加える弾き部品、及び弾き部品の動作を制御する制御スイッチを備える。
【００５５】
選択的に、本発明の実施例において、弾き部品は、第１本体１の中に設けられる第１磁性モジュール３１１と、第２本体２の中に設けられる第２磁性モジュール３１２とを備えてもよく、且つ第２磁性モジュール３１２の位置は第１磁性モジュール３１１の位置に対応し、第１磁性モジュール３１１と第２磁性モジュール３１２のうちの少なくとも１つの磁性モジュールには、磁性又は磁場極性が変化可能な磁性素子が配置される。
【００５６】
選択的に、本発明の実施例において、第１本体１と第２本体２との間には回転軸が設けられ（図６〜図８には回転軸が図示されていないが、回転軸は第１本体１と第２本体２との接続箇所に設けられていればよい）、第１本体１は、回転軸に基づいて第２本体２に対して反転するように設定され、第２本体２は、回転軸に基づいて第１本体１に対して反転するように設定される。選択的に、第１磁性モジュール３１１は、第１本体１において回転軸から離れた位置に設けられ、第２磁性モジュール３１２は第２本体２において回転軸から離れた位置に設けられる。
【００５７】
本発明の実施例による実現形態において、第１磁性モジュール３１１には第１電磁石が設けられ、第２磁性モジュール３１２には第２電磁石が設けられ、第１電磁石と第２電磁石の位置は対応し、且ついずれも電子装置の回転軸から離れた一端に設けられ、第１電磁石と第２電磁石が通電される場合、第１電磁石と前記第２電磁石の相対する一端の磁場極性は同じになり、制御スイッチがオンの場合、第１電磁石と第２電磁石が通電される。
【００５８】
本発明の実施例による他の実現形態において、第１磁性モジュール３１１には電磁石が設けられ、第２磁性モジュール３１２には永久磁石が設けられ、電磁石と永久磁石の位置は対応し、且ついずれも電子装置の回転軸から離れた一端に設けられ、電磁石が通電される場合、該電磁石と永久磁石の相対する一端の磁場極性は同じになり、制御スイッチがオンの場合、該電磁石が通電される。
【００５９】
選択的に、本発明の実施例における制御スイッチは電子装置の表面のタッチスクリーン４に設けられる仮想ボタンであり、それにより、電子装置は外見から見ると、ボタンの数量が少なく、見栄えがより良い。
【００６０】
本発明の実施例は、開閉機構を更に提供し、本発明の実施例による開閉機構については図６〜図８に示す実施例を参照してもよく、制御スイッチが図６〜図８に示す実施例と異なる以外、他の構造は図６〜図８に示す実施例と同じである。以下、本発明の実施例による開閉機構について、詳しく説明する。
【００６１】
図６〜図８に示すように、本発明の実施例における開閉機構は、第１本体１又は第２本体２に弾き力（斥力）を加える弾き部品、及び弾き部品の動作を制御する制御スイッチを備える。
【００６２】
選択的に、本発明の実施例において、弾き部品は、第１本体１の中に設けられる第１磁性モジュール３１１と、第２本体２の中に設けられる第２磁性モジュール３１２とを備えてもよく、且つ第２磁性モジュール３１２の位置は第１磁性モジュール３１１の位置に対応し、第１磁性モジュール３１１と第２磁性モジュール３１２のうちの少なくとも１つの磁性モジュールには、磁性又は磁場極性が変化可能な磁性素子が配置される。
【００６３】
選択的に、本発明の実施例において、第１本体１と第２本体２との間には回転軸が設けられ（図６〜図８には回転軸が図示されていないが、回転軸は第１本体１と第２本体２との接続箇所に設けられていればよい）、第１本体１は、回転軸に基づいて第２本体２に対して反転するように設定され、第２本体２は、回転軸に基づいて第１本体１に対して反転するように設定される。選択的に、第１磁性モジュール３１１は、第１本体１において回転軸から離れた位置に設けられ、第２磁性モジュール３１２は、第２本体２において回転軸から離れた位置に設けられる。
【００６４】
本発明の実施例による実現形態において、第１磁性モジュール３１１には第１電磁石が設けられ、第２磁性モジュール３１２には第２電磁石が設けられ、第１電磁石と第２電磁石の位置は対応し、且ついずれも電子装置の回転軸から離れた一端に設けられ、第１電磁石と第２電磁石が通電される場合、第１電磁石と前記第２電磁石の相対する一端の磁場極性は同じになり、制御スイッチがオンの場合、第１電磁石と第２電磁石が通電される。
【００６５】
本発明の実施例による他の実現形態において、第１磁性モジュール３１１には電磁石が設けられ、第２磁性モジュール３１２には永久磁石が設けられ、電磁石と永久磁石の位置は対応し、且ついずれも電子装置の回転軸から離れた一端に設けられ、電磁石が通電される場合、該電磁石と永久磁石の相対する一端の磁場極性は同じになり、制御スイッチがオンの場合、該電磁石が通電される。
【００６６】
選択的に、本発明の実施例における制御スイッチは、電子装置に設けられる音声認識スイッチであり（図８に示す）、それにより、電子装置の操作の便利性、及びヒューマニゼーションを実現することができる。
【００６７】
上記のものは、単なる本発明の実施例及び選択的な実施形態であるに過ぎず、なお、当業者にとっては、本発明の技術的原理を逸脱しない前提で、様々な変更、追加及び置き換えを行うことができるが、これらの変更、追加及び置き換えも本発明の実施例の保護範囲内に含まれるべきである。
【産業上の利用可能性】
【００６８】
本発明の実施例における開閉機構は、弾き部品を備え、該弾き部品は、電子装置の反転開閉可能な第１本体と第２本体の中に設けられ、第１本体又は第２本体に弾き力（斥力）を加え、該弾き部品には、該弾き部品の動作を制御する制御スイッチが電気的に接続され、本発明の実施例は、開閉機構を設けることにより、電子装置の反転開閉可能な第１本体と第２本体に弾き力を加えて弾き開け（めくり開け）、電子装置の外見を変更する必要がなく、ユーザが電子装置のトップカバーを開くことに寄与する目的を実現し、且つ見栄えがよく、構造が簡単である。
【図１】
2019506011.tif 000003
【図２】
2019506011.tif 000004
【図３】
2019506011.tif 000005
【図４】
2019506011.tif 000006
【図５】
2019506011.tif 000007
【図６】
2019506011.tif 000008
【図７】
2019506011.tif 000009
【図８】
2019506011.tif 000010
【国際調査報告】
2019506011.tif 000011
2019506011.tif 000012
2019506011.tif 000013
2019506011.tif 000014